【手続補正書】
【提出日】平成24年2月24日(2012.2.24)
【手続補正１】
【補正対象書類名】明細書
【補正対象項目名】００１３
【補正方法】変更
【補正の内容】
【００１３】
本発明の請求項１に係る画像形成システムの制御方法は、シートに像形成する画像形成装置と、前記画像形成装置により像形成されたシートを受け取り、シートの搬送方向に直交する幅方向におけるシートの位置を移動する第１の移動手段と、前記第１の移動手段により幅方向に移動されたシートを積載する積載手段とを有する第１のシート処理装置と、シート搬送方向で前記第１のシート処理装置よりも上流側に配置され、前記幅方向におけるシートの位置を移動する第２の移動手段を有する第２のシート処理装置とを含む画像形成システムの制御方法において、前記第１の移動ユニットの異常の有無を検出する検出ステップと、前記画像形成装置から排出されたシートを前記積載手段へ積載する場合に、前記検出ステップで異常が検出されていれば、前記第２の移動手段によりシートを移動させるよう制御する制御ステップと、を有することを特徴とする。
本発明の請求項５に係る画像形成システムは、画像形成装置から排出されたシートを複数のシート処理装置の間で受け渡し可能な画像形成システムにおいて、シートの搬送方向に直交する幅方向におけるシートの位置を移動する第１の移動手段と、前記第１の移動手段による処理が行われたシートが積載される積載手段と、前記第１の移動手段の異常の有無を検出する検出手段とを有する第１のシート処理装置と、シート搬送方向で前記第１のシート処理装置の上流側に接続され、シートの搬送方向に直交する幅方向におけるシートの位置を移動する第２の移動手段を有する第２のシート処理装置と、前記画像形成装置から排出されたシートを前記積載手段に積載する場合に、前記検出手段により前記第１の移動手段の異常が検出されていれば、前記第２の移動手段により前記幅方向にシートを移動させるよう制御する制御手段と、を有することを特徴とする。
本発明の請求項９に係る画像形成装置は、シートの搬送方向に直交する幅方向におけるシートの位置を移動する第１の移動手段と第２の移動手段による処理が行われたシートが積載される積載手段とを有する第１のシート処理装置と、前記第１のシート処理装置よりもシート搬送方向の上流側に配置され、前記幅方向におけるシートの位置を移動する第２の移動手段を有する第２のシート処理装置とが接続される画像形成装置において、シートに像形成する像形成手段と、前記第１の移動手段の異常の有無を検出する検出手段と、前記第１のシート処理装置にシートを搬送し前記第１の移動手段により前記幅方向におけるシートの位置を変更して前記積載手段へ積載する場合に、前記検出手段により異常が検出されていれば、前記第２のシート処理装置に対して前記第２の移動手段により前記幅方向におけるシートの移動を行わせるように前記第２のシート処理装置へ指示する制御手段と、を有することを特徴とする。
【手続補正２】
【補正対象書類名】明細書
【補正対象項目名】００１４
【補正方法】削除
【補正の内容】
【手続補正３】
【補正対象書類名】明細書
【補正対象項目名】００１５
【補正方法】削除
【補正の内容】
【手続補正４】
【補正対象書類名】明細書
【補正対象項目名】００１６
【補正方法】削除
【補正の内容】
【手続補正５】
【補正対象書類名】明細書
【補正対象項目名】００１７
【補正方法】削除
【補正の内容】
【手続補正６】
【補正対象書類名】特許請求の範囲
【補正対象項目名】全文
【補正方法】変更
【補正の内容】
【特許請求の範囲】
【請求項１】
シートに像形成する画像形成装置と、前記画像形成装置により像形成されたシートを受け取り、シートの搬送方向に直交する幅方向におけるシートの位置を移動する第１の移動手段と、前記第１の移動手段により幅方向に移動されたシートを積載する積載手段とを有する第１のシート処理装置と、シート搬送方向で前記第１のシート処理装置よりも上流側に配置され、前記幅方向におけるシートの位置を移動する第２の移動手段を有する第２のシート処理装置とを含む画像形成システムの制御方法において、
前記第１の移動ユニットの異常の有無を検出する検出ステップと、
前記画像形成装置から排出されたシートを前記積載手段へ積載する場合に、前記検出ステップで異常が検出されていれば、前記第２の移動手段によりシートを移動させるよう制御する制御ステップと、
を有することを特徴とする画像形成システムの制御方法。
【請求項２】
前記制御ステップにおいては、シートを前記積載手段へ積載する場合に、前記検出ステップで異常が検出されていなければ、前記第２の移動手段によるシートの移動をさせないことを特徴とする請求項１に記載の画像形成システムの制御方法。
【請求項３】
前記第２のシート処理装置がシートを積載する第２の積載手段を有しており、
前記第２の積載手段にシートが積載される場合、前記第２の移動手段によりシートの位置が変更された後に前記第２の積載手段に積載されるよう制御する第２の制御ステップを有することを特徴とする請求項１記載の画像形成システムの制御方法。
【請求項４】
前記第１のシート処理装置が、前記第１の移動ユニットよりも下流側に設けられ、前記幅方向におけるシートの両端を整合する一対の整合部材を有しており、
前記検出ステップで異常が検出されていなければ、前記一対の整合部材へのシートの到達を待機している状態での前記一対の整合部材の間隔を第１の間隔に設定し、前記検出ステップで異常が検出されていれば、前記一対の整合部材へのシートの到達を待機している状態での前記一対の整合部材の間隔を前記第１の間隔よりも広い第２の間隔に設定する整合部材制御ステップを有することを特徴とする請求項１に記載の画像形成システムの制御方法。
【請求項５】
画像形成装置から排出されたシートを複数のシート処理装置の間で受け渡し可能な画像形成システムにおいて、
シートの搬送方向に直交する幅方向におけるシートの位置を移動する第１の移動手段と、前記第１の移動手段による処理が行われたシートが積載される積載手段と、前記第１の移動手段の異常の有無を検出する検出手段とを有する第１のシート処理装置と、
シート搬送方向で前記第１のシート処理装置の上流側に接続され、シートの搬送方向に直交する幅方向におけるシートの位置を移動する第２の移動手段を有する第２のシート処理装置と、
前記画像形成装置から排出されたシートを前記積載手段に積載する場合に、前記検出手段により前記第１の移動手段の異常が検出されていれば、前記第２の移動手段により前記幅方向にシートを移動させるよう制御する制御手段と、
を有することを特徴とする画像形成システム。
【請求項６】
シートを前記積載手段へ積載する場合に、前記検出手段で異常が検出されていなければ、前記制御手段は前記第２の移動手段によるシートの移動をさせないことを特徴とする請求項５に記載の画像形成システム。
【請求項７】
前記第１のシート処理装置は、前記幅方向へ移動可能に設けられ前記幅方向におけるシートの両側に当接してシートの整合を行う一対の整合部材を有する整合手段を備え、
前記検出手段により前記第１の移動手段の異常が検出されていなければ、前記整合手段は、シートの到達を待機している状態での前記一対の整合部材の間隔を第１の間隔に設定し、前記検出手段により異常が検出されていれば、前記整合手段は、シートの到達を待機している状態での前記一対の整合部材の間隔を前記第１の間隔よりも広い第２の間隔に設定することを特徴とする請求項５に記載の画像形成システム。
【請求項８】
前記制御手段は、前記検出手段により前記第１の移動手段の異常が検出されていれば、前記整合部材が前記第１の間隔に設定されている場合の整合動作の所要時間と、前記第２の間隔に設定されている場合の整合動作の所要時間との差分だけ、前記画像形成装置から排出するシートの排出間隔を広げるよう制御することを特徴とする請求項７に記載の画像形成システム。
【請求項９】
シートの搬送方向に直交する幅方向におけるシートの位置を移動する第１の移動手段と第２の移動手段による処理が行われたシートが積載される積載手段とを有する第１のシート処理装置と、前記第１のシート処理装置よりもシート搬送方向の上流側に配置され、前記幅方向におけるシートの位置を移動する第２の移動手段を有する第２のシート処理装置とが接続される画像形成装置において、
シートに像形成する像形成手段と、
前記第１の移動手段の異常の有無を検出する検出手段と、
前記第１のシート処理装置にシートを搬送し前記第１の移動手段により前記幅方向におけるシートの位置を変更して前記積載手段へ積載する場合に、前記検出手段により異常が検出されていれば、前記第２のシート処理装置に対して前記第２の移動手段により前記幅方向におけるシートの移動を行わせるように前記第２のシート処理装置へ指示する制御手段と、
を有することを特徴とする画像形成装置。
【請求項１０】
前記制御手段は、前記第１のシート処理装置にシートを搬送し前記第１の移動手段により前記幅方向におけるシートの位置を変更して前記積載手段へ積載する場合に、前記検出手段で異常が検出されていなければ、前記第２のシート処理装置に対して前記第２の移動手段によるシートの移動を指示しないことを特徴とする請求項９に記載の画像形成装置。
【請求項１１】
前記第２のシート処置装置がシートを積載する第２の積載手段を有しており、前記制御手段は、前記第２の積載手段にシートが積載される場合に、前記第２のシート処理装置に対して前記第２の移動手段によりシートの移動を指示することを特徴とする請求項９記載の画像形成装置。